(57)【特許請求の範囲】
【請求項１】
遠隔操作端末から無線送信されたエンジン始動信号を受信するとエンジンを始動させる遠隔始動装置であって、
前記エンジン始動信号を受信すると、バッテリからイグニッション系装置に給電する経路に設けられた遠隔制御スイッチを閉じて、前記イグニッション系装置への給電を行なうとともに、エンジンを始動させる始動制御部と、
少なくとも、操作者によるキーシリンダへのキーの挿入とブレーキ操作を検知する操作状態検知部と、
前記始動制御部によりエンジンが始動された後、前記操作状態検知部により、前記キーの挿入、及び、前記ブレーキの踏込み操作が検知されると、前記遠隔制御スイッチを開放する遠隔制御停止部と、
を有する遠隔始動装置。
【請求項２】
前記遠隔制御停止部は、前記操作状態検知部により前記キーの挿入が検知された後、ブレーキの踏込み操作が検知されると、前記遠隔制御スイッチを開放する請求項１記載の遠隔始動装置。
【請求項３】
前記遠隔制御停止部は、前記操作状態検知部によりブレーキの踏込み操作が検知された後、前記キーの挿入が検知されると、所定の待機時間が経過した後に前記遠隔制御スイッチを開放する請求項１記載の遠隔始動装置。
【請求項４】
前記遠隔制御停止部は、前記操作状態検知部によりブレーキの踏込み操作が検知された後、所定の待機時間が経過しても前記キーの挿入が検知されないときに、前記遠隔制御スイッチを開放する請求項１または３記載の遠隔始動装置。
【請求項５】
前記遠隔制御停止部は、前記操作状態検知部によりブレーキの踏込み操作が検知された後、前記キーの挿入が検知され、前記遠隔制御スイッチを開放する迄の間にブレーキの踏込み操作の解除が検知されると、直ちに前記遠隔制御スイッチを開放する請求項３または４記載の遠隔始動装置。
【請求項６】
遠隔操作端末から無線送信されたエンジン始動信号を受信するとエンジンを始動させる遠隔始動装置であって、
前記エンジン始動信号を受信すると、バッテリからイグニッション系装置に給電する経路に設けられた遠隔制御スイッチを閉じて、前記イグニッション系装置への給電を行なうとともに、エンジンを始動させる始動制御部と、
少なくとも、操作者によるキーシリンダへのキーの挿入とブレーキ操作を検知する操作状態検知部と、
前記始動制御部によりエンジンが始動された後、前記操作状態検知部により、前記キーの挿入、及び、前記ブレーキの踏込み操作が検知されると、前記遠隔制御スイッチを開放する遠隔制御停止部と、を有し、
前記遠隔制御停止部は、前記操作状態検知部により前記キーの挿入が検知された後、所定の待機時間が経過すると、操作者のキー操作によりイグニッションスイッチが閉じられたと判断して、前記遠隔制御スイッチを開放する遠隔始動装置。
【請求項７】
前記車両に、前記キーが正規のキーであるか否かを照合するイモビライザが設けられ、前記遠隔制御停止部は、前記操作状態検知部により前記キーの挿入が検知され、前記イモビライザにより前記キーが正規のキーであると判定された後、所定の待機時間が経過すると前記遠隔制御スイッチを開放し、前記イモビライザにより前記キーが偽のキーであると判定されると、直ちに前記遠隔制御スイッチを開放する請求項６記載の遠隔始動装置。
【請求項８】
前記遠隔制御停止部は、前記遠隔制御スイッチを開放する迄の間に、前記操作状態検知部により所定の禁止操作が検知されると、直ちに前記遠隔制御スイッチを開放する請求項１から７の何れかに記載の遠隔始動装置。
【請求項９】
前記遠隔制御停止部は、前記キーの挿入後に前記遠隔制御スイッチを開放する迄の間に、前記操作状態検知部により前記キーが離脱されたことが検知されると、直ちに前記遠隔制御スイッチを開放する請求項１から８の何れかに記載の遠隔始動装置。
【請求項１０】
前記車両に自動ドアロック装置が設けられ、前記遠隔制御停止部は、前記自動ドアロック装置によりドアが開錠され、前記操作状態検知部により前記キーの挿入が検知されたときに、前記遠隔制御スイッチを開放し、前記自動ドアロック装置を介さずにドアが開錠されると、直ちに前記遠隔制御スイッチを開放する請求項１から９の何れかに記載の遠隔始動装置。
【請求項１１】
遠隔操作端末から無線送信されたエンジン始動信号を受信するとエンジンを始動させる遠隔始動装置であって、
前記エンジン始動信号を受信すると、エンジンを始動させる始動制御部と、
少なくとも、操作者による車両システムの電源スイッチの操作とブレーキ操作を検知する操作状態検知部と、
前記始動制御部によりエンジンが始動された後、前記操作状態検知部により、前記ブレーキの踏込み操作が検知される前後の何れかの時期に前記電源スイッチの操作が検知されると、遠隔制御を停止する遠隔制御停止部と、
を有する遠隔始動装置。
【請求項１２】
前記遠隔制御停止部は、前記操作状態検知部によりブレーキの踏込み操作が検知された後、所定の待機時間が経過しても前記電源スイッチの操作が検知されないときに、前記遠隔制御を停止する請求項１１記載の遠隔始動装置。
【請求項１３】
前記遠隔制御停止部は、前記操作状態検知部により前記電源スイッチの操作が検知される迄にブレーキの踏込み操作の解除が検知されると、前記遠隔制御を停止する請求項１２記載の遠隔始動装置。
【請求項１４】
前記遠隔制御停止部は、前記操作状態検知部によりブレーキの踏込み操作が検知された後、前記電源スイッチの操作が検知されると、所定の待機時間が経過した後に前記遠隔制御を停止する請求項１１または１２記載の遠隔始動装置。
【請求項１５】
前記遠隔制御停止部は、前記操作状態検知部により前記電源スイッチの操作が検知された後、ブレーキの踏込み操作が検知されると、前記遠隔制御を停止する請求項１１記載の遠隔始動装置。
【発明の詳細な説明】
【技術分野】
【０００１】
本発明は、車両外部から操作された遠隔操作端末から無線送信されたエンジン始動信号を受信すると、自動的にエンジンを始動させる遠隔始動装置に関する。
【背景技術】
【０００２】
車両を運転する前にエンジンの暖機や車室の空調を行なうべく、ユーザが携行する遠隔操作端末を車外から操作することによって、エンジンを始動させる遠隔始動装置が搭載された車両が知られている。遠隔始動装置は、遠隔操作端末から無線送信されるエンジン始動信号を受信すると、これに応答してエンジンを始動させる。
【０００３】
遠隔始動装置によってエンジンが始動された車両に侵入した第三者が、当該車両を運転して持ち去る車両盗難を防止するため、遠隔始動装置は、車両のドアロックの開錠やドアの開放等、車両に搭乗するための操作を検知するとエンジンを停止させるように構成されている。
【０００４】
このため、正規のユーザは、乗車後にキーシリンダへキーを挿入し、キーを操作してエンジンを再始動させる必要がある。
【０００５】
特許文献１には、車両のエンジンの始動を指示する始動指示信号が無線で送信され、当該始動指示信号に応答して前記エンジンを駆動状態にする制御信号をオンにするエンジン始動手段と、前記制御信号がオンにされた後に前記車両に対して行われる所定のユーザ操作を監視する操作監視手段とを有し、前記エンジン始動手段は、前記制御信号をオンにした後、前記ユーザ操作が終了するまで前記制御信号をオンに維持し、前記ユーザ操作のうち前記車両の所定部位を駆動する操作が可搬性のキーを用いずに実行されたときには、前記制御信号をオフにする遠隔始動装置が提案されている。
【０００６】
特許文献１に記載された技術によれば、遠隔操作でエンジンを始動させた状態で、エンジンを停止させずに走行可能な状態に移行することにより、ユーザ操作の利便性を実現しながらも、第三者による車両の盗難を防止できる車両が実現される。
【０００７】
通常は、キーをキーシリンダへ挿入し、その後キーを回転操作すると、先ずバッテリとアクセサリ回路を接続するアクセサリ電源スイッチがオンされ、次にバッテリと点火回路を接続するイグニッションスイッチがオンされ、さらにバッテリとスタータ回路を接続するスタータスイッチがオンされて、エンジンが始動される。
【０００８】
上述の遠隔始動装置は、当該アクセサリ電源スイッチ、イグニッションスイッチ、スタータスイッチの各スイッチとは別に、バッテリと各回路を接続する遠隔始動用の複数のスイッチ回路を備え、遠隔操作端末から無線送信されたエンジン始動信号を受信すると、当該遠隔始動用のスイッチ回路を閉じることによって、エンジンを始動させるように構成されている。
【０００９】
そして、特許文献１に記載された遠隔始動装置は、エンジンを遠隔始動した状態で、キーシリンダへ挿入されたキーの操作位置を検知するための検知回路が設けられ、当該検知回路を介してキーが操作されたことを検知すると、遠隔操作でエンジンを始動させた状態で、エンジンを停止させずに走行可能な状態に移行するように構成されている。
【００１０】
また、上述した特許文献１に開示された遠隔始動装置は、ドアロックの開錠、ドア開放、搭乗、ドア閉鎖、イグニションスイッチ接続という所定のユーザ操作の実行が終了するまで制御信号がオンに維持されるが、その間にブレーキ操作等が行なわれると、制御信号がオフされてエンジンが停止するように構成されている。
【先行技術文献】
【特許文献】
【００１１】
【特許文献１】特開２００９−２５５８３６号公報
【発明の概要】
【発明が解決しようとする課題】
【００１２】
しかし、上述した特許文献１に開示された遠隔始動装置は、遠隔操作でエンジンを始動させた状態で、エンジンを停止させずに走行可能な状態に移行するために、キーが操作されてイグニッションスイッチがオンされたことを検知する検知回路が必要になり、それに伴ってコストが上昇するという問題があった。
【００１３】
また、上述の問題とは別の観点で、通常、ユーザはキー操作を行なった後に、ブレーキを操作し、さらにシフトレバーをパーキングレンジから走行レンジに切り替えるが、必ずしもそのような手順が踏まれるとは限らず、ブレーキを操作した後にキー操作を行なう場合もあり、そのような場合には、ブレーキを操作した時点で遠隔始動装置によって制御信号がオフされてエンジンが停止するため、キー操作によって再度エンジンを始動させる必要があるという点で、更なる改良の余地もあった。
【００１４】
本発明の目的は、上述した問題に鑑み、キーが操作されたことを検知する検知回路を備えることなく、遠隔操作でエンジンを始動させた状態で、エンジンを停止させずに走行可能な状態に移行可能な遠隔始動装置を提供する点にある。
【課題を解決するための手段】
【００１５】
上述の目的を達成するため、本発明による遠隔始動装置の特徴構成は、遠隔操作端末から無線送信されたエンジン始動信号を受信するとエンジンを始動させる遠隔始動装置であって、前記エンジン始動信号を受信すると、バッテリからイグニッション系装置に給電する経路に設けられた遠隔制御スイッチを閉じて、前記イグニッション系装置への給電を行なうとともに、エンジンを始動させる始動制御部と、少なくとも、操作者によるキーシリンダへのキーの挿入とブレーキ操作を検知する操作状態検知部と、前記始動制御部によりエンジンが始動された後、前記操作状態検知部により、前記キーの挿入、及び、前記ブレーキの踏込み操作が検知されると、前記遠隔制御スイッチを開放する遠隔制御停止部と、を有する点にある。
【００１６】
上述の構成によれば、始動制御部によりエンジンが始動された後に、キーシリンダへのキーの挿入、及び、前記ブレーキの踏込み操作が検知されると、キーの操作によりイグニッションスイッチが閉じられたと判断して、遠隔制御停止部により遠隔制御スイッチが開放される。そのため、キーによってイグニッションスイッチがオンされたことを検知する検知回路を設けなくとも、エンジンを停止させずに走行可能な状態に移行可能となる。
【００１７】
上述の構成で、前記遠隔制御停止部は、前記操作状態検知部により前記キーの挿入が検知された後、ブレーキの踏込み操作が検知されると、前記遠隔制御スイッチを開放するように構成することが好ましい。
【００１８】
また、前記遠隔制御停止部は、前記操作状態検知部によりブレーキの踏込み操作が検知された後、前記キーの挿入が検知されると、所定の待機時間が経過した後に前記遠隔制御スイッチを開放することが好ましく、前記操作状態検知部によりブレーキの踏込み操作が検知された後、所定の待機時間が経過しても前記キーの挿入が検知されないときに、前記遠隔制御スイッチを開放することが好ましい。
【００１９】
通常、ユーザはキー挿入操作を行なった後に、ブレーキを操作し、さらにシフトレバーをパーキングレンジから走行レンジに切り替えるが、必ずしもそのような手順が踏まれるとは限らず、ブレーキを操作した後にキー挿入操作を行なう場合もある。
【００２０】
このような場合に、操作状態検知部によりブレーキの踏込み操作が検知されると、直ちに遠隔制御スイッチを開放してエンジンを停止させるのではなく、キーの挿入操作が検知されるまで所定の待機時間を設定し、当該待機時間が経過後に前記遠隔制御スイッチが開放されるように構成すれば、運転意思のあるユーザが直ちにキーの挿入操作を行なうことにより、再度のエンジン始動操作が不要となり利便性を向上させることができる。
【００２１】
また、操作状態検知部により当該待機時間内にキーの挿入操作が検知されない場合には、遠隔制御停止部により遠隔制御スイッチが開放されてエンジンが停止するように構成すれば、正規のキーを所有していない第三者による車両の盗難を未然に防止することもできる。
【発明の効果】
【００２２】
以上説明した通り、本発明によれば、キーが操作されたことを検知する検知回路を備えることなく、遠隔操作でエンジンを始動させた状態で、エンジンを停止させずに走行可能な状態に移行可能な遠隔始動装置を提供することができるようになった。
【図面の簡単な説明】
【００２３】
【図１】遠隔始動装置の回路ブロック図
【図２】遠隔始動装置による制御手順を示すフローチャート
【図３】走行開始操作判定処理を示すフローチャート
【図４】遠隔始動装置による走行開始操作判定のタイミングチャート
【図５】遠隔始動装置による走行開始操作判定のタイミングチャート
【図６】遠隔始動装置による走行開始操作判定のタイミングチャート
【図７】遠隔始動装置による走行開始操作判定のタイミングチャート
【図８】別実施形態を示し、遠隔始動装置の回路ブロック図
【図９】別実施形態を示し、走行開始操作判定処理を示すフローチャート
【図１０】別実施形態を示し、走行開始操作判定処理を示すフローチャート
【発明を実施するための形態】
【００２４】
以下に、自動変速機構を備えた車両に設けられ、遠隔操作端末による操作に基づいてエンジンを遠隔始動させる遠隔始動装置を説明する。
【００２５】
図１には、遠隔始動装置１を含む車両の主要な制御システムが示されている。当該車両には、遠隔始動装置１、イモビライザ２、エンジン制御装置３、ボディ制御装置４等の電子制御装置と、バッテリＢから車両に備えた負荷に給電するためのスイッチを制御するキーシリンダＫＳ等を備えている。
【００２６】
各電子制御装置は、ＣＰＵとＣＰＵで実行される制御プログラムが記憶されたＲＯＭと制御データや演算データが格納されるＲＡＭを備えたマイクロコンピュータが組み込まれている。また、エンジン制御装置３、ボディ制御装置４等の電子制御装置は、車両ネットワークＣＡＮ（Controller Area Network）を介して相互に制御データが通信可能に接続されている。
【００２７】
当該車両では、操作者がキーシリンダＫＳにイグニッションキー（以下、単に「キー」と記す。）Ｋを挿入し、キーＫを回転操作すると、先ずバッテリＢからアクセサリ系装置に給電する給電経路に備えたアクセサリ電源スイッチＡＣＣがオンされ、次にバッテリＢからイグニッション系装置に給電する給電経路に備えたイグニッションスイッチＩＧがオンされ、さらにバッテリＢからスタータ回路６に給電する給電経路に備えたスタータスイッチＳＴがオンする。尚、キーシリンダＫＳは、スタータスイッチＳＴのオン時にイグニッションスイッチＩＧがオンするとともにアクセサリスイッチＡＣＣがオフするように接点回路が設けられている。
【００２８】
アクセサリ系装置にはナビゲーション装置やオーディオ装置、空気清浄機等の負荷が含まれ、イグニッション系装置には点火回路やエンジン制御装置、エアコンディショナ等の負荷が含まれる。
【００２９】
スタータ回路６は、エンジンをクランキングするスタータモータＭとスタータモータＭにバッテリＢの電圧を印加するスタータリレーＳＲを備えている。
【００３０】
本実施形態では、遠隔操作端末５として、キー頭部に固有のＩＤコードが記憶された電子チップが内蔵され、ドアロックスイッチ、アンロックスイッチ、エンジン始動スイッチを備えたキーＫが使用される。
【００３１】
イモビライザ２は、キーＫに埋め込まれた電子チップに記憶されたＩＤコードをトランスポンダ７を介して受信し、受信したＩＤと車両側のＩＤコードを電子的に照合し、一致するとエンジン制御装置３に真性のキーである旨の制御信号を送信する。
【００３２】
エンジン制御装置３には、アクセサリスイッチＡＣＣを介した給電線、イグニッションスイッチＩＧを介した給電線が接続され、各給電線の電圧から各スイッチの状態が検知可能に構成されている。
【００３３】
エンジン制御装置３は、イグニッションスイッチＩＧがオンされると起動して、その後、イモビライザ２から真性のキーである旨の制御信号を受信した場合に限り、エンジンを始動する。つまり、スタータスイッチＳＴがオンされ、エンジンがクランキングされると、エンジン制御装置３は、クランクシャフトに設けられたクランクセンサから出力されるクランクパルスに基づいて気筒を判別し、所定のタイミングで各気筒に燃料を噴射し、点火制御することによりエンジンを始動させ、イグニッションスイッチＩＧがオフされると、燃料の噴射、点火制御を停止することによりエンジンを停止させる。
【００３４】
ボディ制御装置４は、キーＫに備えたドアロックスイッチ、アンロックスイッチの操作に応答して、ドアの自動ロック、アンロック回路を制御するとともに、侵入者を検知するとブザーを鳴動制御する。
【００３５】
遠隔始動装置１は、上述したアクセサリスイッチＡＣＣ、イグニッションスイッチＩＧ、スタータスイッチＳＴの各スイッチとは別に、バッテリＢとアクセサリ系装置、イグニッション系装置、スタータ回路とをそれぞれ接続する三つのリレー回路ＡＣＣ１，ＩＧ１，ＳＴ１が設けられ、各リレー回路ＡＣＣ１，ＩＧ１，ＳＴ１の出力側の電圧がリレー回路ＡＣＣ１，ＩＧ１，ＳＴ１のモニタ信号として遠隔始動装置１に入力されている。リレー回路ＩＧ１が本発明の遠隔制御スイッチとなる。
【００３６】
また、遠隔始動装置１は、遠隔操作端末５から無線送信されるエンジン始動信号や、ドアのロック信号、アンロック信号等の遠隔操作信号を受信する無線受信回路１０が設けられている。
【００３７】
遠隔始動装置１とイモビラーザ２及びボディ制御装置４は、それぞれローカル通信線Ｃ１，Ｃ２で接続されている。遠隔始動装置１は、イモビライザ２から照合用のＩＤコードを読み出して、遠隔操作端末５との間でＩＤを照合し、照合結果をイモビラーザ２に送信するとともに、真性の遠隔操作端末５である場合に、遠隔操作端末５から送信されたドアのアンロック信号、ロック信号をボディ制御装置４に送信する。
【００３８】
さらに、遠隔始動装置１には、エンジンの遠隔始動制御に必要な制御データであるキーシリンダＫＳへのキーＫの挿入スイッチ信号（当該挿入スイッチはキーシリンダに組み込まれている）、ブレーキ操作信号、ドア開閉スイッチ信号、ドアロックアンロックスイッチ信号、エンジンフード信号、シフトポジションスイッチ信号、エンジン回転数信号等のスイッチ信号が入力されている。
【００３９】
遠隔始動装置１は、遠隔操作端末５から無線送信されたエンジン始動信号を受信するとエンジンを始動させる始動制御部１１と、上述したスイッチ信号の入力等に基づいて、少なくとも、操作者によるキーシリンダＫＳへのキーＫの挿入とブレーキの踏込み操作を検知する操作状態検知部１２と、始動制御部１１によりエンジンが始動された後、操作状態検知部１２によりブレーキの踏込み操作が検知される前後の何れかの時期にキーＫの挿入が検知されると、キーＫの操作によりイグニッションスイッチＩＧが閉じられたと判断して、リレー回路ＡＣＣ１，ＩＧ１を開放する遠隔制御停止部１３の各機能ブロックを備えている。
【００４０】
各機能ブロックは、上述したＲＯＭに格納された制御プログラムと、制御プログラムを実行するＣＰＵ等で具現化される。
【００４１】
始動制御部１１は、遠隔操作端末５から無線送信されたＩＤ及びエンジン始動信号を受信し、真性のＩＤであると認証すると、その旨の信号をイモビラーザ２に送信し、当該遠隔始動用のリレー回路ＡＣＣ１，ＩＧ１，ＳＴ１を閉じる。
【００４２】
エンジン制御装置３は、イモビラーザ２を介して真性の遠隔操作端末５からのエンジン始動信号を受信した旨の信号が入力され、エンジンのクランキングを確認すると、クランクパルスに基づいて気筒を判別し、所定のタイミングで各気筒に燃料を噴射し、点火制御することによりエンジンを始動させる。
【００４３】
このとき、イグニッションスイッチＩＧを介した給電経路に接続されているエアコンディショナのスイッチがオンされていると、車室の空調が同時に開始される。
【００４４】
始動制御部１１は、リレー回路ＳＴ１をオンした後に、エンジン回転数信号であるクランクパルスを検知し、エンジンが所定の回転数に達するとエンジンの始動が完了したと判断して、リレー回路ＳＴ１をオフする。
【００４５】
その後、遠隔制御停止部１３は、例えば２０分程度の所定時間、暖機運転を継続し、所定時間が経過するとリレー回路ＡＣＣ１，ＩＧ１をオフして、エンジンを停止させる。また、暖機運転中に遠隔操作端末５に組み込まれたエンジン始動スイッチが再度オンされるとエンジン停止信号が送信され、当該エンジン停止信号を受信するとエンジンを停止させる。
【００４６】
遠隔制御停止部１３は、上述した２０分程度のエンジンの暖機運転の継続時に、操作状態検知部によって検知される操作者の操作状況に基づいて、遠隔操作でエンジンを始動させた状態で、エンジンを停止させずに遠隔始動制御を終了して走行可能な状態に移行するか、第三者による車両の盗難を防止するためにエンジンを停止させるかの何れかの制御を行なう。
【００４７】
一般に、自動変速機構を備えた車両では、操作者がキーの挿入及び回転操作を行なった後に、ブレーキを操作し、さらにシフトレバーをパーキングレンジから走行レンジに切り替えることにより走行可能な状態に移行する。
【００４８】
そのため、遠隔操作でエンジンを始動させた状態で、キーＫがキーシリンダＫＳに挿入され、キーＫ操作によってイグニッションスイッチＩＧがオンされた状態を検知した場合にのみ、エンジンを停止させずに走行可能な状態に移行するように構成することにより、操作者の利便性を向上させることができる。
【００４９】
しかし、キーＫ操作によってイグニッションスイッチＩＧがオンされた状態を検知するためには、専用の検知回路を設ける必要があり、それによって車両コストの上昇を来たすという問題がある。
【００５０】
また、操作者がブレーキを操作した後にキー操作を行なう場合もあり、このような場合に、遠隔制御停止部１３が異常な操作手順であると判定してエンジンを停止させると、当該車両の所有者等の真の操作者であっても、再度キー操作を行なってエンジンを再始動させる必要がある。
【００５１】
そこで、本発明による遠隔始動装置１は、キーＫ操作によってイグニッションスイッチＩＧがオンされた状態を検知するための検知回路を設けることなく、キー操作が判定でき、キー操作の前にブレーキの操作が行なわれる場合であっても、エンジンを停止させずに走行可能な状態に移行できるように構成されている。
【００５２】
具体的に説明すると、遠隔制御停止部１３は、始動制御部によりエンジンが始動された後、操作状態検知部によりキーＫの挿入が検知されると、キーＫの操作によりイグニッションスイッチＩＧが閉じられたと判断して、リレー回路ＡＣＣ１，ＩＧ１を開放するように構成されている。
【００５３】
以下、詳述する。図２に示すように、遠隔操作端末５からエンジン始動信号を受信した始動制御部１１によってエンジンが遠隔始動された状態で（ＳＡ１）、操作状態検知部１２によりドアが遠隔操作端末５によってアンロックされたことが検知されると（ＳＡ２）、遠隔制御停止部１３は、真の操作者であると判定してタイマＷを起動する（ＳＡ３）。
【００５４】
タイマＷは、次の操作、つまりドアの開閉を検知するまでの猶予時間を規定するタイマで、この猶予時間内にドアの開閉が検知されない場合、防盗のためエンジンを強制停止させるためのタイマである。タイマの値は例えば１０秒程度に設定されるが、この値に制限されるものではない。
【００５５】
タイマＷがカウントアップすると（ＳＡ４）、遠隔制御停止部１３によりエンジン停止判定がなされて（ＳＡ１２）、遠隔始動制御がオフ、つまり、遠隔始動状態からそのままエンジンを始動させた状態で走行を可能にするＲＵＮ  ＯＮ操作が禁止されてリレー回路ＩＧ１が直ちにオフされる。これにより、エンジンは停止する（ＳＡ９）。
【００５６】
タイマＷがカウントアップするまでに（ＳＡ４）、操作状態検知部１２により運転席のドアが開かれたことが検知されると（ＳＡ５）、遠隔制御停止部１３はタイマＲを起動する（ＳＡ６）。
【００５７】
タイマＲは、操作者が乗車して、キーＫの挿入、ブレーキペダルの操作等の走行開始操作を行なうまでの猶予時間を規定するタイマで、この猶予時間内に走行開始操作が検知されない場合、防盗のためエンジンを強制停止させるためのタイマである。タイマの値は例えば１０秒程度に設定されるが、この値に制限されるものではない。
【００５８】
タイマＲがカウントアップすると（ＳＡ７）、遠隔制御停止部１３によりエンジン停止判定がなされて（ＳＡ１２）、遠隔始動制御がオフ、つまり、リレー回路ＩＧ１がオフされる。これにより、エンジンは停止する（ＳＡ９）。
【００５９】
タイマＲがカウントアップするまでに（ＳＡ７）、操作状態検知部１２により走行開始操作（キーＫ操作及びブレーキ操作等の走行開始のための操作であり、ＲＵＮ  ＯＮ操作ともいう。）が検知されると（ＳＡ８）、遠隔制御停止部１３は、キーＫによってイグニッションスイッチＩＧがオンされ、走行可能状態に移行したと判定して、遠隔始動制御をオフ、つまり、リレー回路ＩＧ１をオフする（ＳＡ９）。このとき、既にイグニッションスイッチＩＧがオンされているため、エンジンは停止することなく、走行可能な状態となる。
【００６０】
ステップＳＡ２で、操作状態検知部１２によりドアが遠隔操作端末５によってアンロックされたことが検知されず、ドアがキーＫでアンロックされたことが検知されると（ＳＡ１０）、直ちにステップＳＡ１２のエンジン停止判定に移行する。キーＫに備えたアンロックスイッチで遠隔操作する場合には、真の操作者であると判定してエンジンの再始動の手間を省いて利便性を増し、遠隔操作によらないキーＫの手動操作でアンロックする場合、真の操作者でないと判定することによりエンジンを停止させてセキュリティを高めるものである。
【００６１】
尚、ステップＳＡ２の判定処理は必ずしも必要なものではなく、ステップＳＡ２に替えてステップＳＡ１０の判定をステップＳＡ２の位置で実行してもよい。
【００６２】
図３には、ステップＳＡ８の走行開始操作判定の詳細が示されている。操作者によってキーシリンダＫＳにキーＫが挿入されたことが操作状態検知部１２によって検知されるまでの間に（ＳＢ１）、ブレーキペダルの踏込み操作が検知されると（ＳＢ２）、遠隔制御停止部１３はタイマＢを起動する（ＳＢ３）。
【００６３】
タイマＢは、操作者がキーＫを挿入するまでの猶予時間を規定するタイマで、この猶予時間内にキーシリンダＫＳにキーＫが挿入されない場合、防盗等のためエンジンを強制停止させるためのタイマである。タイマの値は例えば３秒程度に設定されるが、この値に制限されるものではない。
【００６４】
タイマＢがカウントアップすると（ＳＢ４）、遠隔制御停止部１３によりエンジン停止判定がなされて（ＳＢ１０）、ステップＳＡ９に移行し、遠隔始動制御がオフ、つまり、リレー回路ＩＧ１がオフされる。これにより、エンジンは停止する。
【００６５】
タイマＢがカウントアップするまでに（ＳＢ４）、操作状態検知部１２によってキーＫが挿入されたことが検知されると（ＳＢ５）、遠隔制御停止部１３はタイマＫを起動する（ＳＢ６）。
【００６６】
タイマＫは、操作者がキーＫを挿入してからイグニッションスイッチＩＧをオン操作するまでの猶予時間を規定するタイマで、この猶予時間を経過するとイグニッションスイッチＩＧがオンされたと判定するためのタイマである。タイマの値は例えば２秒程度に設定されるが、この値に制限されるものではない。
【００６７】
タイマＫがカウントアップするまでに（ＳＢ７）、操作状態検知部１２によってキーＫが引抜かれたことが検知されると（ＳＢ９）、遠隔制御停止部１３によりエンジン停止判定がなされて（ＳＢ１０）、ステップＳＡ９に移行し、遠隔始動制御がオフ、つまり、リレー回路ＩＧ１がオフされる。これにより、エンジンは停止する。
【００６８】
タイマＫがカウントアップすると（ＳＢ７）、イグニッションスイッチＩＧがオン操作されたと判定して（ＳＢ８）、ステップＳＡ９に移行し、遠隔始動制御がオフ、つまり、リレー回路ＩＧ１がオフされる。タイマＫがカウントアップするまでの間にイグニッションスイッチがオンされていると、エンジンは停止することなく、走行可能な状態となる。
【００６９】
つまり、タイマＫの計時によってイグニッションスイッチがオンされていると推定することにより、キーＫ操作によってイグニッションスイッチＩＧがオンされた状態を検知するための専用の検知回路を不要にしている。尚、タイマＫがカウントアップした時点でイグニッションスイッチがオンされていない場合には、エンジンが停止する。
【００７０】
ステップＳＢ１で、キーＫの挿入が検知されると、ステップＳＢ６に移行する。ステップＳＢ２で、ブレーキ操作が検知されない場合には、ステップＳＡ７に移行し、タイマＲのカウントアップによりエンジンが停止される（ＳＡ１２，ＳＡ９）。
【００７１】
ステップＳＢ５でキーＫの挿入判定がなされるまでの間に、ブレーキ操作が解除されると、ステップＳＢ１０のエンジン停止判定に移行するように構成してもよい。キーが挿入される前にブレーキペダルの踏込み操作が解除されると、走行意図が無いと判定し、或は、悪意の第三者による操作と判定するものである。
【００７２】
ステップＳＢ２で、ブレーキ操作の判定を行なっているのは、操作者がブレーキを操作した後にキー操作を行なう場合に対応して、操作者の利便性を高めるためである。キー操作の前にブレーキが操作された時点で、遠隔始動装置によって直ちにエンジンが停止されるのは、真の操作者にとってキー操作による再度のエンジン始動という煩雑な操作が要求されるためである。
【００７３】
また、上述したステップＳＡ７のタイマＲのカウントアップ中、ステップＳＢ４のタイマＢのカウントアップ中、ステップＳＢ７のタイマＫのカウントアップ中の何れか、或は全てに、走査状態検知部１２によって、操作者による所定の禁止操作がなされたか否かを検知し、禁止操作がなされたと検知されると、遠隔制御停止部１３によりステップＳＡ１２の処理が実行される制御ステップを設けることが好ましい。ここで、所定の禁止操作とは、アクセルペダルの踏込み操作、シフトレバーの走行レンジへの切替操作等である。
【００７４】
図４には、ブレーキの踏込み操作後にキーの挿入操作が行なわれる場合のシーケンスのタイミングチャートが示されている。また、図５には、キーの挿入操作後にブレーキの踏込み操作が行なわれる場合のシーケンスのタイミングチャートが示されている。
【００７５】
さらに、ステップＳＢ１，ＳＢ５のキーＫの挿入判定では、イモビライザ２による認証が同時に行なわれ、操作状態検知部１２がイモビライザ２から認証不可の旨の信号を受信した場合に、遠隔制御停止部１３によりステップＳＡ１２の処理が実行されるように構成してもよい。偽のキーで操作されていると判定し、確実な防盗を実現するためである。このシーケンスのタイミングチャートが図６、図７に示されている。
【００７６】
尚、イモビライザ２は、キーＫはキーシリンダＫＳに挿入されたときに、キーシリンダＫＳの周囲に配置されたアンテナを介してキーのＩＤを読み出すように構成されている。
【００７７】
以上説明した通り、本発明による遠隔始動装置では、始動制御部によりエンジンが始動された後、操作状態検知部により、前記キーの挿入、及び、前記ブレーキの踏込み操作が検知されると、遠隔制御スイッチを開放する遠隔制御停止部とが設けられている。
【００７８】
そして、遠隔制御停止部は、操作状態検知部によりブレーキの踏込み操作が検知された後、所定の待機時間が経過してもキーの挿入が検知されないときに、遠隔制御スイッチを開放し、キーの挿入が検知されると、所定の待機時間が経過した後に遠隔制御スイッチを開放するように構成されている。
【００７９】
遠隔制御停止部は、操作状態検知部によりブレーキの踏込み操作が検知された後、キーの挿入が検知され、遠隔制御スイッチを開放する迄の間にブレーキの踏込み操作の解除が検知されると、直ちに前記遠隔制御スイッチを開放するように構成されている。
【００８０】
遠隔制御停止部は、ブレーキの踏込み操作の前後何れかの時期に、操作状態検知部により前記キーの挿入が検知された後、所定の待機時間が経過すると、操作者のキー操作によりイグニッションスイッチが閉じられたと判断して、前記遠隔制御スイッチを開放し、操作状態検知部によりキーの挿入が検知された後、ブレーキの踏込み操作が検知されると、遠隔制御スイッチを開放するように構成されている。
【００８１】
また、車両に、キーが正規のキーであるか否かを照合するイモビライザが設けられ、遠隔制御停止部は、操作状態検知部によりキーの挿入が検知され、イモビライザによりキーが正規のキーであると判定された後、所定の待機時間が経過すると遠隔制御スイッチを開放し、イモビライザによりキーが偽のキーであると判定されると、直ちに遠隔制御スイッチを開放する。
【００８２】
遠隔制御停止部は、遠隔制御スイッチを開放する迄の間に、操作状態検知部により所定の禁止操作が検知されると、直ちに遠隔制御スイッチを開放し、キーの挿入後に遠隔制御スイッチを開放する迄の間に、前記操作状態検知部により前記キーが離脱されたことが検知されると、直ちに前記遠隔制御スイッチを開放するように構成されている。
【００８３】
車両に自動ドアロック装置が設けられ、遠隔制御停止部は、自動ドアロック装置によりドアが開錠され、操作状態検知部により前記キーの挿入が検知されたときに、遠隔制御スイッチを開放し、前記自動ドアロック装置を介さずにドアが開錠されると、直ちに前記遠隔制御スイッチを開放するように構成されている。
【００８４】
以下、別実施形態を説明する。
【００８５】
上述した実施形態では、イモビライザが搭載された車両について説明したが、イモビライザが搭載されていない車両であっても本発明を適用することができる。
【００８６】
上述した実施形態では、遠隔操作端末５として、頭部に固有のＩＤコードが記憶された電子チップが内蔵され、ドアロックスイッチ、アンロックスイッチ、エンジン始動スイッチを備えた機械的なキーＫが使用される場合を説明したが、遠隔操作端末５として、機械的なキーＫに替えてスマートキーと呼ばれる携帯機（電子キー）を用いる場合であっても、同様に本発明を適用することができる。
【００８７】
このような車両は、通常、携帯機と車両間での通信に基づいて、真性の携帯機であることが認証されているとの条件下で、車両の走行システムを起動させる電源スイッチであるスタートスイッチと呼ばれるプッシュ型のスイッチが操作されるとエンジンが始動される。
【００８８】
また、車両の駆動源としてエンジンのみを備えた車両に替えて、エンジンとモータの双方を備えたハイブリッド車両にも本発明の技術思想を適用して、スタートスイッチの操作の前にブレーキ操作された場合であっても遠隔始動されたエンジンを停止させずに走行可能な状態に移行させることができる。
【００８９】
以下、ハイブリッド車両を例に詳述する。尚、ハイブリッド車両では、エンジン効率が低い条件下ではモータ走行に切り替えられるが、本実施形態では、発明を理解し易くする観点で、モータ用のバッテリの容量が低下した場合等、エンジン駆動で発進する場合を想定して説明する。
【００９０】
図８には、スマートエントリーシステムが採用されたハイブリッド車両の主要なシステム構成が示されている。
【００９１】
当該車両には、遠隔始動装置１、スマートエントリー制御装置２、電源制御装置２０、ステアリングロック制御装置２２、エンジン制御装置３、ボディ制御装置４、モータ制御装置等の電子制御装置を備えている。
【００９２】
上述した実施形態と同様、各電子制御装置は、ＣＰＵとＣＰＵで実行される制御プログラムが記憶されたＲＯＭと制御データや演算データが格納されるＲＡＭを備えたマイクロコンピュータが組み込まれている。また、電源制御装置２０、エンジン制御装置３、ボディ制御装置４等の電子制御装置は、車両ネットワークＣＡＮ（Controller Area Network）を介して相互に制御データが通信可能に接続されている。
【００９３】
遠隔操作端末５である携帯機には、表示ＬＥＤ５ａと４種類の操作スイッチが設けられ、電子チップに記憶された固有のＩＤコードと、操作スイッチに対応する制御コードを無線送信する送信機が設けられている。操作スイッチには、ドアロックスイッチ５ｂ、ドアアンロックスイッチ５ｃ、エンジン始動スイッチ５ｄ、エンジン停止スイッチ５ｅが含まれる。例えば、エンジン始動スイッチ５ｄを操作するとエンジン始動信号が送信され、エンジン停止スイッチ５ｅが操作されるとエンジン停止信号が送信される。
【００９４】
電源制御装置２０は、ハイブリッド車両のシステム制御部として機能し、操作者が所持する遠隔操作端末５と、スマートエントリー制御装置２との間で認証が行なわれ、真の操作者であると認識されること条件に、操作者によるスタートスイッチＳＴＳの操作によるシステムの起動を許容する。
【００９５】
スタートスイッチＳＴＳは、プッシュ型スイッチで構成され、一度オンすると電源制御装置２０によってアクセサリ系統へ給電されたＡＣＣモードに移行され、ＡＣＣモードで再度オンすると各制御装置へ給電されたＩＧ状態に移行される。ＩＧ状態で各制御装置は起動するが、車両の走行状態へは移行しない。
【００９６】
ＡＣＣモードまたはＩＧモードで、ブレーキペダルを踏込み操作し、その状態でスタートスイッチＳＴＳをオンすると、電源制御装置２０によって、走行可能な状態であるレディモードに移行する。ＩＧモードまたはレディモードでさらにスタートスイッチＳＴＳがオンされると、電源制御装置２０によって、電源の供給が停止されるシステムオフ状態に移行する。尚、遠隔始動装置１、電源制御装置２０、スマートエントリー制御装置２は、スタートスイッチＳＴＳによってシステムの電源がオフされてもバッテリから給電されている。
【００９７】
スマートエントリー制御装置２は、遠隔操作端末５からの送信信号を受信する無線受信回路と、遠隔操作端末５へ送信信号を送信する無線送信回路を備え、車室外にある遠隔操作端末５との間で送受信するアンテナと、車室内にある遠隔操作端末５との間で送受信するアンテナを備えている。
【００９８】
遠隔始動装置１は、車室外で操作され、遠隔操作端末５から送信されたエンジン始動信号を受信すると、電源制御装置２０を介してエンジン制御装置３にエンジン始動指令が送信され、エンジンが遠隔始動される。また、エンジンの遠隔始動中に、遠隔操作端末５から送信されたエンジン停止信号を受信すると、電源制御装置２０を介してエンジン制御装置３にエンジン停止指令が送信され、エンジンが停止される。
【００９９】
ステアリングロック制御装置２２は、エンジンを遠隔始動させた状態で、第三者による車両の盗難を防止するため、ステアリング操作ができないようにロックする制御装置で、真のユーザによるＲＵＮ  ＯＮ操作であると判定するまでの間、ステアリングをロックする。
【０１００】
このような、エンジンを遠隔始動させた状態で操作者が乗車し、車両を走行させる場合には、上述したスタートスイッチＳＴＳを一度オンすることにより、レディ状態に移行するように構成されているが、スタートスイッチＳＴＳをオンする前にブレーキペダルの踏み込み操作がなされた場合に、エンジンを停止させると操作者の利便性を損なうことになる。
【０１０１】
そこで、本発明による遠隔始動装置は、エンジン始動信号を受信すると、エンジン制御装置に遠隔制御信号を出力してエンジンを始動させる始動制御部と、少なくとも、操作者によるスタートスイッチの操作とブレーキ操作を検知する操作状態検知部と、始動制御部によりエンジンが始動された後、操作状態検知部によりスタートスイッチの操作よりも先にブレーキ操作が検知された場合であっても、所定の条件を満たす場合には、遠隔制御信号のオフタイミングを遅延させる遠隔制御停止部とを備えている。
【０１０２】
図９には、操作者によるスタートスイッチの操作及びブレーキ操作に対応した遠隔始動装置の動作が示されている。尚、図９の処理が実行される前に、先に説明した図２のステップＳＡ１からＳＡ１２までの処理が実行されるのであるが、ほぼ同様の処理であるため、ここでは説明を省略する。
【０１０３】
図９に示すように、操作状態検知部によりスタートスイッチＳＴＳがオンされる前に（ＳＣ１）、ブレーキ操作が検知されると（ＳＣ２）、遠隔制御停止部はタイマＢを起動する（ＳＣ３）。
【０１０４】
タイマＢは、操作者がスタートスイッチＳＴＳを操作するまでの猶予時間を規定するタイマで、この猶予時間内にスタートスイッチＳＴＳが操作されない場合、防盗等のためエンジンを強制停止させるためのタイマである。タイマの値は例えば３秒程度に設定されるが、この値に制限されるものではない。
【０１０５】
タイマＢがカウントアップすると（ＳＣ４）、遠隔制御停止部によりエンジン停止判定がなされて（ＳＣ１０）、図２のステップＳＡ９に移行し、遠隔始動制御がオフ、つまり、エンジンが停止される。
【０１０６】
タイマＢがカウントアップするまでに（ＳＣ４）、操作状態検知部によってブレーキ操作が解除されたことが検知されると（ＳＣ５）、同様に、遠隔制御停止部によりエンジン停止判定がなされて（ＳＣ１０）、図２のステップＳＡ９に移行し、遠隔始動制御がオフ、つまり、エンジンが停止される。ブレーキ操作が解除されずに、スタートスイッチＳＴＳがオンされたことが検知されると（ＳＢ６）、遠隔制御停止部は遠隔制御停止判定して、遠隔制御を停止する（ＳＣ７）。このとき、スタートスイッチＳＴＳのオン操作によりレディ状態に移行しているため、エンジンは引き続いて始動される。そして、このタイミングでステアリングロック制御装置２２によりステアリングのロック状態が解除される。
【０１０７】
ステップＳＣ１でスタートスイッチＳＴＳがオンされると（ＳＣ１）、ブレーキ操作がなされるまで待ち（ＳＣ８）、操作状態検知部によってブレーキ操作が検知されると、遠隔制御停止部は遠隔制御停止判定して、遠隔制御を停止する（ＳＣ７）。このとき、同様にスタートスイッチＳＴＳのオン操作によりレディ状態に移行しているため、エンジンは引き続いて始動される。
【０１０８】
ステップＳＣ８でブレーキ操作が検知されるまでの間に、スタートスイッチの二度目の操作が検知されると（ＳＣ９）、遠隔制御停止部によりエンジン停止判定がなされて（ＳＣ１０）、図２のステップＳＡ９に移行し、遠隔始動制御がオフ、つまり、エンジンが停止される。操作者による運転意思が無い等と判定するものである。
【０１０９】
図１０には、図９に示した動作例の別の態様が示されている。ステップＳＤ１でスタートスイッチＳＴＳがオンされると、遠隔制御停止部はタイマＳを起動する（ＳＤ８）。
【０１１０】
タイマＳは、操作者がスタートスイッチＳＴＳを操作した後、ブレーキを操作するまでの猶予時間を規定するタイマで、この猶予時間内にブレーキが操作されない場合、エンジンを強制停止させるためのタイマである。タイマの値は例えば３秒程度に設定されるが、この値に制限されるものではない。
【０１１１】
タイマＳがカウントアップされると（ＳＤ９）、運転者による走行意図が無いと判断して、エンジン停止判定を行ない（ＳＤ１２）、図２のステップＳＡ９でエンジンを停止する。
【０１１２】
タイマＳがカウントアップされるまでの間にブレーキ操作がなされたことが検知されると（ＳＤ１０）、ステップＳＤ７の処理に移行し、ステップＳＡ９でエンジンが始動した走行可能な状態で、遠隔始動制御が停止される。
【０１１３】
また、タイマＳがカウントアップされるまでの間にスタートスイッチＳＴＳがオフされたことが検知されると（ＳＤ１１）、同様にステップＳＤ１２の処理に移行する。
【０１１４】
尚、ステップＳＤ７，ＳＤ１２の次に実行されるステップＳＡ９の遠隔始動制御停止処について説明する。ステップＳＤ７で走行可能な状態で遠隔制御停止と判定された場合には、遠隔始動装置１から電源制御装置２０にその旨の制御信号が送信され、電源制御装置２０はレディモードに移行して、エンジン制御装置３にエンジンの始動を継続させる。つまり、いつでも走行可能な状態になる。また、ステップＳＤ１２でエンジン停止と判定された場合には、遠隔始動装置１から電源制御装置２０にその旨の制御信号が送信され、電源制御装置２０からエンジン制御装置３にエンジンの停止指令が出される。そしてこのとき、電源制御装置２０はシステムの電源がオフされた状態に移行する。
【０１１５】
つまり、遠隔始動装置は、エンジン始動信号を受信すると、エンジンを始動させる始動制御部と、少なくとも、操作者による車両システムの電源スイッチの操作とブレーキ操作を検知する操作状態検知部と、始動制御部によりエンジンが始動された後、操作状態検知部により、ブレーキの踏込み操作が検知される前後の何れかの時期に電源スイッチの操作が検知されると、遠隔制御を停止する遠隔制御停止部と、を備えている。
【０１１６】
遠隔制御停止部は、操作状態検知部によりブレーキの踏込み操作が検知された後、所定の待機時間が経過しても電源スイッチの操作が検知されないときに、遠隔制御を停止し、操作状態検知部により電源スイッチの操作が検知される迄にブレーキの踏込み操作の解除が検知されると、遠隔制御を停止する。何れの場合であっても、エンジンが停止するように構成されている。
【０１１７】
そして、遠隔制御停止部は、操作状態検知部によりブレーキの踏込み操作が検知された後、電源スイッチの操作が検知されると、所定の待機時間が経過した後に遠隔制御を停止する。この場合、レディモードに移行しているためエンジンは始動状態が維持されている。
【０１１８】
また、遠隔制御停止部は、操作状態検知部により電源スイッチの操作が検知された後、ブレーキの踏込み操作が検知されると、前記遠隔制御を停止する。この場合も、レディモードに移行しているためエンジンは始動状態が維持されている。
【０１１９】
以上説明したように、遠隔制御停止部は、ブレーキの操作状態、スタートスイッチの操作状態に基づいて、ユーザの利便性を向上させるべくエンジンが始動した状態で遠隔始動制御を停止するか、第三者による盗難を防止すべくエンジンが停止するように遠隔始動制御を停止するかの何れかを選択するように構成されている。
【０１２０】
尚、上述した各実施形態は本発明の一例に過ぎず、本発明の作用効果を奏する範囲において各ブロックの具体的構成、タイマ値の設定等を適用する遠隔始動装置に応じて適宜変更設計できることは言うまでもない。
【符号の説明】
【０１２１】
１：遠隔始動装置
５：遠隔操作端末
Ｂ：バッテリ
Ｋ：キー
ＫＳ：キーシリンダ
１１：始動制御部
１２：操作状態検知部
１３：遠隔制御停止部
【図１】
0005436255.tif 000002
【図２】
0005436255.tif 000003
【図３】
0005436255.tif 000004
【図４】
0005436255.tif 000005
【図５】
0005436255.tif 000006
【図６】
0005436255.tif 000007
【図７】
0005436255.tif 000008
【図８】
0005436255.tif 000009
【図９】
0005436255.tif 000010
【図１０】
0005436255.tif 000011